(57)【要約】【課題】ストリームデータの記録及び／又は再生を中断することなく、ストリームデータの再生開始位置を登録する。【解決手段】  レンズ部２を通過した光は、撮像部３で動画像データに変換される。圧縮伸張部は、動画像データを圧縮し、動画像ファイルを生成する。動画像ファイルは、逐次ＨＤＤ７に記録される。動画像ファイルの記録時にマーキングボタン１０が押下されると、インデックス生成部６は、マーキングボタン１０が押下されたときの時間情報からブックマーク情報２４を生成しメモリ４に記憶する。インデックス生成部６は、マーキングボタン１０が押下される度に、ブックマーク情報２４をメモリ４に蓄積させる。インデックス生成部６は、動画像の撮像が終了したとき、撮像が終了した動画像ファイルのファイル情報２３とメモリ４に蓄積されたブックマーク情報とをリンク付ける。【選択図】図１
2007124538.tif 000002
【特許請求の範囲】
【請求項１】
ストリームデータを取得するストリームデータ取得部と、
上記取得したストリームデータを所定のファイル形式に変換するファイル生成部と、
上記ファイル生成部が生成したストリームファイルを記録する記録部と、
上記記録部に記録された各ストリームファイルへの第１のリンク情報を含むファイル情報を複数有するインデックスファイルを生成するインデックスファイル生成部と、
上記ストリームデータの取得時にブックマークの登録が指示されると、ブックマークに関する情報を記述したブックマーク情報をメモリに記憶させ、ストリームデータを記録部に記録させた後、上記ブックマーク情報を上記記録部に記録するとともに、該ブックマーク情報への第２のリンク情報を該記録されたストリームファイルの上記ファイル情報に記録させるブックマーク情報登録部と
を有することを特徴とする電子機器。
【請求項２】
上記ブックマーク情報は上記インデックスファイル内に記録されることを特徴とする請求項１記載の電子機器。
【請求項３】
上記記録部には上記ストリームファイル毎に上記ストリームファイルの内容を想起させる第１のサムネイル画像が記録され、上記インデックスファイル生成部は各ストリームファイルの上記ファイル情報内に、対応する上記第１のサムネイル画像への第３のリンク情報を含むように上記インデックスファイルを生成し、
上記ブックマーク登録部は、上記ブックマークが登録された再生開始位置を想起させる第２のサムネイル画像を生成して上記記録部に記録させ、上記ブックマーク情報内に上記第２のサムネイル画像へのリンク情報を記録させることを特徴とする請求項１記載の電子機器。
【請求項４】
上記ストリームデータは画像ストリームデータであり、
上記記録部に記録された上記インデックスファイルを読み出し、該インデックスファイルに基づいて上記画像ストリームデータおよび、上記第１および第２のサムネイル画像の再生を行う再生管理部と、
上記再生管理部により再生された上記画像ストリームデータおよび、上記第１および第２のサムネイル画像を表示する表示部とを更に有し、
上記再生管理部は、上記第１および第２のサムネイル画像を混在させて上記表示部に表示させることを特徴とする請求項３記載の電子機器。
【請求項５】
上記ストリームデータは画像ストリームデータであり、
上記記録部に記録された上記インデックスファイルを読み出し、該インデックスファイルに基づいて上記画像ストリームデータおよび、上記第１および第２のサムネイル画像の再生を行う再生管理部と、
上記再生管理部により再生された上記画像ストリームデータおよび、上記第１および第２のサムネイル画像を表示する表示部と、
ユーザの指示を受け付ける指示受け付け部とを更に有し、
上記表示部に表示された第２のサムネイル画像が上記指示受け付け部により選択されることにより、対応する上記ブックマーク情報に基づき上記画像ストリームデータを再生することを特徴とする請求項４記載の電子装置。
【請求項６】
被写体を撮像する撮像部を更に有し、
上記ストリームデータ取得部は上記撮像部より出力された画像ストリームデータを取得し、
上記ブックマーク登録部は、ブックマークの登録が指示されたときの上記画像ストリーム内の位置に関する情報をメモリに記憶させ、上記ブックマーク情報として上記記録部に記録させることを特徴とする請求項１記載の電子機器。
【請求項７】
所定の記録媒体に記録された各ストリームファイルへの第１のリンク情報を含むファイル情報を複数有するインデックスファイルを生成するインデックスファイル生成部と、
上記ストリームファイル上記記録媒体から読み出して再生するストリームデータ再生部と、
上記ストリームファイルの再生時にブックマークの登録が指示されると、上記ブックマークに関する情報を記述したブックマーク情報を上記記録媒体に記録させるとともに、上記ブックマーク情報への第２のリンク情報を該再生されたストリームファイルの上記ファイル情報に記録させるブックマーク情報登録部と
を有することを特徴とする電子機器。
【請求項８】
上記ブックマーク情報は上記インデックスファイル内に記録されることを特徴とする請求項７記載の電子機器。
【請求項９】
ストリームファイルに関連付けられた第１のリンク情報と上記ストリームファイルの内容を想起させるサムネイル画像への第２のリンク情報と上記ストリームファイルに登録されたブックマーク情報への第３のリンク情報とを含むインデックスファイルを読み出し、
上記ストリームファイルの先頭若しくは上記ブックマーク情報に登録された再生開始位置で頭出し再生を行う再生管理部を有することを特徴とする電子機器。
【請求項１０】
上記再生管理部は、上記ファイルの先頭と上記ブックマーク情報に登録された再生開始位置とをユーザに提示し、上記ユーザから指定された再生開始位置から頭出し再生を行うことを特徴とする請求項９記載の電子機器。
【請求項１１】
上記再生管理部は、上記ストリームファイルにリンク付けられたサムネイル画像と、上記ブックマーク情報にリンク付けられたサムネイル画像とを上記インデックスファイルから読出し、読み出したサムネイル画像を並べたメニュー画面を作成し、上記メニュー画面で選択されたサムネイル画像に対応する再生開始位置から頭出し再生を開始することを特徴とする請求項９記載の電子機器。
【請求項１２】
上記再生管理手段は、上記ブックマーク情報を再生開始時間順に整列させることを特徴とする請求項９記載の電子機器。
【請求項１３】
ストリームデータを取得するストリームデータ取得工程と、
上記ストリームデータの取得時にブックマークの登録が指示されると、ブックマークに関する情報を記述したブックマーク情報を生成し、メモリに記憶するブックマーク情報記憶工程と、
上記取得したストリームデータをストリームファイルに変換するファイル生成工程と、
各ストリームファイルへの第１のリンク情報を含むファイル情報を複数有するインデックスファイルを生成するインデックスファイル生成工程と、
上記ストリームデータの取得時にブックマークの登録が指示されると、ブックマークに関する情報を記述したブックマーク情報をメモリに記憶させ、ストリームファイルを記録部に記録させた後、上記ブックマーク情報を記録部に記録するとともに、該ブックマーク情報への第２のリンク情報を該記録されたストリームファイルの上記ファイル情報に記録させるブックマーク情報登録工程と
を有することを特徴とする再生管理方法。
【請求項１４】
所定の記録媒体に記録された各ストリームファイルへの第１のリンク情報を含むファイル情報を複数有するインデックスファイルを生成するインデックスファイル生成工程と、
上記ストリームファイルを上記記録媒体から読み出して再生するストリームデータ再生工程と、
上記ストリームファイルの再生時にブックマークの登録が指示されると、上記ブックマークに関する情報を記述したブックマーク情報を上記記録媒体に記録させるとともに、上記ブックマーク情報への第2のリンク情報を該再生されたストリームファイルの上記ファイル情報に記録させるブックマーク情報登録工程と
を有することを特徴とする再生管理方法。
【発明の詳細な説明】
【技術分野】
【０００１】
本発明は、ストリームデータの再生開始位置を管理する機能を備えた電子機器、及び、ストリームデータの再生開始位置を管理する再生管理方法に関する。
【背景技術】
【０００２】
従来、ディスクに記録された動画像ファイルにブックマークを登録し、ブックマークが登録された位置から再生を開始するディスク再生装置が存在する。このディスク再生装置は、動画像の再生時にマーカキーが操作されると、その時点で再生されていたディスクのアドレスをブックマークとして登録し、ディスクが再生されていないときにマーカキーが操作されると、ブックマークとして登録された静止画像をサムネイル画像として並べて表示し、表示したサムネイル画像に対応するマーカＮｏ．を選択されると、選択されたマーカＮｏ．に対応するアドレスから、ディスクの再生を開始する（例えば、特許文献１）。
【０００３】
【特許文献１】特開２００４−２８０９４０号公報
【発明の開示】
【発明が解決しようとする課題】
【０００４】
特許文献１記載の発明では、ブックマークの管理情報を専用のテーブルに記述している。そのため、動画像ファイルを再生する場合には、動画像ファイルを管理しているファイルと別にブックマークを管理しているテーブルにアクセスしなくてはならない。
【０００５】
また、特許文献１記載の発明では、ブックマークを登録する際、メニュー画面であるマーカ表示部を表示し、マーカ表示部上でブックマークの設定を行うようになっている。しかし、動画像データの再生中にメニュー画面が表示されると、ユーザの動画像の閲覧が中断されてしまう。また、特許文献１記載の発明では、再生中にブックマークを登録する技術は開示されているが、記録中のブックマークを登録する技術は開示されていない。
【０００６】
本発明は、上述した課題に鑑みてなされたものであって、ストリームデータの記録及び／又は再生を中断することなく、ストリームデータの再生開始位置を登録することができる電子機器を提供することを目的とする。
【課題を解決するための手段】
【０００７】
上述した目的を達成するために、本発明を適用した電子機器及び再生管理方法は、ストリームデータの記録中に、ブックマークの登録を指示されると、ブックマーク情報をメモリに記憶させる。そして、全てのストリームデータを記録部に記録した後、メモリに記録しているブックマーク情報をインデックスファイルに登録し、ストリームデータのファイル情報にブックマーク情報をリンク付けさせる。
【０００８】
また、本発明を適用した電子機器及び再生管理方法は、所定の記録媒体からファイルとインデックスファイルを読み出し、インデックスファイルのファイル情報に基づくファイルの先頭、若しくは、ブックマーク情報に記述された再生開始位置で頭出しを行う。
【発明の効果】
【０００９】
本発明によれば、ストリームデータを記録部に記録している途中でブックマークの登録が指示されると、ブックマークに関する情報を記述したブックマーク情報をメモリに記憶し、ストリームデータの取得が完了した後に、メモリに記憶しているブックマーク情報をインデックスファイルに登録するため、ストリームデータの記録中であってもブックマークを登録することができる。
【００１０】
また、本発明によれば、ファイルの属性を記述したファイル情報とファイルの内容を想起させるサムネイル画像とブックマークに関する情報を記述したブックマーク情報とをインデックスファイルという１つのファイルで管理するため、管理情報へのアクセス時間が短縮できる。
【発明を実施するための最良の形態】
【００１１】
以下、図面を参照して本発明を適用したビデオカメラについて説明する。本発明を適用したビデオカメラは、動画像データを記録する機能と、記録した動画像データを再生する機能とを備える。そして、動画像データの記録中、若しくは、動画像データの再生中にブックマークを登録することができる。ブックマークが登録されると、ブックマークが登録された位置から頭出し再生をすることができる。ブックマークに関する情報（以下、ブックマーク情報と記す）は、インデックスファイルと呼ばれるファイルに格納される。
【００１２】
インデックスファイルには、ブックマーク情報のほかに、フォルダの構造、ファイルの属性情報、ブックマークの時間情報、ファイルのサムネイル画像などが記述されている。ビデオカメラは、これらの情報を一括して管理することによりアクセス速度を向上させている。
【００１３】
インデックスファイルは、動画像ファイルだけでなく、静止画ファイル、音声ファイルなどの様々な種別ファイルの管理情報が記述されている。インデックスファイルでは、種別の異なるファイルを一元的に管理することができる。
【００１４】
図１に本発明を適用したビデオカメラ１の例を示す。ビデオカメラ１は、被写体のピント合わせやズームなどを行うレンズ部２と、ＣＣＤ（Charge Coupled Device）やＣＭＯＳ（Complementary MOS）等の撮像素子からなる撮像部３と、ブックマーク情報やサムネイル画像を記憶するメモリ４と、動画像データや静止画データを所定のファイル形式に変換するファイル生成部５と、ＨＤＤ（Hard Disk Drive）７に記録するインデックスファイル８を生成するとともに撮影中及び再生中にインデックスファイル８にブックマークを登録するインデックス生成部６と、画像を表示するＬＣＤ（Liquid Crystal Display）９と、ブックマークを登録するマーキングボタン１０と、再生の開始を指示入力する再生ボタンと、１つ手前のファイルの頭出し再生を指示する頭出しボタン１２と、１つ先のファイルの頭出し再生を指示する頭出しボタン１３と、メニュー画面の生成を指示入力するメニューボタン１４と、再生開始位置を管理する再生管理部１５と、ビデオカメラ１全体を制御する制御部１６とを備える。
【００１５】
動画像データの記録処理において、撮像部３は、レンズ部２を通過した光を動画像データに変換し、メモリ４に記憶させる。ファイル生成部５は、メモリ４に記憶している動画像データをＭＰＥＧ（Moving Picture Expert Group）等の所定の圧縮方式で圧縮して動画像ファイルを生成する。
【００１６】
ＨＤＤ７には、図２に示すように、ファイルの記録領域と、インデックスファイルの記録領域が形成されている。動画像データの撮像中、ファイルの記録領域には、ファイル生成部５が生成したファイルが記録される。そして、動画像データの撮像が終了すると、インデックス生成部６が生成したインデックスファイル８がインデックスファイルの記録領域に記録される。
【００１７】
インデックス生成部６は、インデックスファイル８を生成する。図３にインデックスファイルの構成例を紹介する。
【００１８】
インデックスファイル８は、図３に示すように、プロパティファイル１７と、サムネイルファイル１８とから構成される。サムネイルファイル１８には、ファイルヘッダ１９とファイル及びブックマークを想起させるサムネイル画像２０が格納されている。
【００１９】
プロパティファイル１７には、ファイルヘッダ２１と、フォルダ情報２２と、ファイル情報２３と、ブックマーク情報２４とが記述されている。フォルダ情報２２と、ファイル情報２３と、ブックマーク情報２４には、情報を一意に識別するためのインデックス番号が付けられている。
【００２０】
フォルダ情報２２には、フォルダ自身のインデックス番号と、フォルダに所属するファイル及びフォルダへのインデックス番号が記述されている。
【００２１】
ファイル情報２３には、ファイル自身のインデックス番号と、ファイル種別、ファイルの作成日時、ファイルにリンク付けられたサムネイル画像２０のインデックス番号、ファイルにリンク付けられたブックマーク情報２４のインデックス番号が記述されている。
【００２２】
ファイル情報２３において、ファイル自身のインデックス番号は、動画像ファイルや静止画ファイルなどのファイル自身への第１のリンク情報となる。また、ブックマーク情報２４のインデックス番号は、第２のリンク情報となる。さらに、サムネイル画像２０のインデックス番号は、第３のリンク情報となる。
【００２３】
ブックマーク情報２４には、ブックマークが登録された時間、ブックマークにリンク付けられたサムネイル画像２０のインデックス番号が記述されている。
【００２４】
サムネイルファイル１８には、ファイルの内容を想起させるサムネイル画像２０とファイルに登録されたブックマークの位置を示すサムネイル画像２０とが記録されている。ファイルの内容を想起させるサムネイル画像を第１のサムネイル画像と呼び、ブックマークの登録された位置を示すサムネイル画像を第２のサムネイル画像と呼ぶ。
【００２５】
図４を参照してインデックスファイル８のリンク付けを説明する。図４のプロパティファイルの先頭には、インデックス番号「０００１」のフォルダ情報２２が記述されている。フォルダ情報２２には、所属ファイルとしてインデックス番号「０００２」のファイル情報２３ａとインデックス番号「０００３」のファイル情報２３ｂとがリンク付けられている。
【００２６】
フォルダ情報２２にリンク付けされた、インデックス番号「０００２」のファイル情報２３ａは、ファイル種別が「静止画」、撮影日時が「２００５／１１／１４  １４：２２：２２」であり、インデックス番号「０００１」のサムネイル画像２０ａ及び画像ファイル番号が「０００１」の画像ファイル５０ａがリンク付けられていることが記述されている。
【００２７】
また、インデックス番号が「０００３」のファイル情報２３ｂには、ファイル種別が「動画像」、撮影日時が「２００５／１１／０８  １６：４４：４４」であり、インデックス番号が「０００４」「０００５」「０００６」のブックマーク情報と、インデックス番号が「０００２」のサムネイル画像２０ｂ、画像ファイル番号が「０００２」の画像ファイル５０ｂがリンク付けられていることが記述されている。
【００２８】
ファイル情報２３ｂにリンク付けられたインデックス番号「０００４」のブックマーク情報２４ａには、ファイル先頭からの時間情報が「１０ｍｓ」であり、インデックス番号「０００３」のサムネイル画像２０ｃがリンク付けられていることが記述されている。同様に、インデックス番号「０００５」のブックマーク情報２４ｂには、ファイル先頭からの時間情報「２５ｍｓ」であり、インデックス番号が「０００４」のサムネイル画像２０ｄがリンク付けられていることが記述されている。インデックス番号が「０００６」のブックマーク情報２４ｃには、ファイル先頭からの時間情報「４０ｍｓ」であり、インデックス番号が「０００５」のサムネイル画像２０ｅがリンク付けられていることが記述されている。
【００２９】
このように、インデックスファイル８では、フォルダにリンク付けられた画像ファイル５０、画像ファイル５０にリンク付けられたブックマーク情報２４とリンク付けられた情報を次々と読み出すことができる。また、インデックスファイル８を基に、画像ファイル５０及びブックマーク情報２４にリンク付けられたサムネイル画像２０を読み出すこともできる。
【００３０】
図５にファイル情報２３とブックマーク情報２４との関係を模式的に示す。図５には、５つのファイル情報２３と４つのブックマーク情報２４とが描画されている。先頭のファイル情報２３には３つのブックマーク情報２４がリンク付けられており、次の３つのファイル情報２３には、ブックマーク情報２４は、リンク付けられていない。そして、最後のファイル情報２３に１つのブックマーク情報２４がリンク付けられている。
【００３１】
これらのファイル情報２３及びブックマーク情報２４は、全てインデックスファイル８が管理している。本発明を適用したビデオカメラ１では、ファイル情報２３とブックマーク情報２４とを１つのインデックスファイル８で管理する構成にしたことにより、ファイル情報２３とブックマーク情報２４とを一度に読み出すことができ、ブックマーク情報２４のアクセス時間が短縮されている。
【００３２】
再生管理部１５は、インデックスファイル８を使用してファイルの再生開始位置を管理する。再生ボタンが押下されると、再生管理部１５は、インデックスファイル８を読み出し、インデックスのフォルダ情報１９にリンク付けられたファイル情報２３を読み出し、ファイル情報２３にリンク付けられたブックマーク情報２４を読み出す。そして、再生管理部１５は、ブックマーク情報２４を時間情報の順に整列させる。これにより、記録時に登録したブックマーク情報２４と、再生時に登録したブックマーク情報２４を時間情報の順に並べる。
【００３３】
再生管理部１５は、頭出しボタン１２が押下されると、１つ手前の再生開始位置への頭出しを行う。また、頭出しボタン１３が押下されると、１つ先の再生開始位置への頭出しを行う。このとき、ファイルにブックマークが登録されている場合には、再生管理部１５は、ブックマークへの頭出しを行う。一方、ファイルにブックマークが登録されていない場合には、ファイルの先頭への頭出しを行う。
【００３４】
また、メニューボタン１４が押下されると、再生管理部１５は、ファイル情報２３にリンク付けられたサムネイル画像２０、及び、ブックマーク情報２４にリンク付けられたサムネイル画像２０を読み出し、読み出したサムネイル画像２０を並べたメニュー画面を生成する。メニュー画面では、静止画ファイルのサムネイル画像２０、動画像ファイルのサムネイル画像２０、音楽ファイルのサムネイル画像とが混在して表示される。ユーザが方向キー（図示省略）を操作すると、サムネイル画像２０を選択することができる。選択されたサムネイル画像２０は、他のサムネイル画像２０よりも強調して表示される。
【００３５】
ブックマークが登録されたファイルには、ファイルのサムネイル画像２０とブックマークのサムネイル画像２０が並べて表示される。ブックマークのサムネイル画像２０が選択されると、再生管理部１５は、ブックマークが登録された位置から再生を開始する。
【００３６】
図６にメニュー画面２５の一例を示す。図６に示すメニュー画面２５には、縦横９枚のサムネイル画像２６〜３４が表示されている。メニュー画面２５の左側には、ファイルが作成された日付３５が表示されている。また、メニュー画面２５の右側には、ファイル総量に対する位置を示すスクロールバー３６が表示されている。
【００３７】
上段の左端に配置されたサムネイル画像２６は、動画像ファイルのサムネイル画像である。このサムネイル画像２６には、ブックマークが登録されたことを示す「ＧＰ（グループ）」記号３７と、動画像ファイルであることを示す記号３８が表示されている。このサムネイル画像２４の後には、ブックマークのサムネイル画像２７〜２９が表示されている。ブックマークのサムネイル画像２７〜２９は、動画像ファイルのサムネイル画像２６よりも小さく、横線３９〜４２で繋がれている。このメニュー画面２４では、サムネイル画像２６〜３６のサイズや横線３９〜４２の有無により、動画像ファイルのサムネイル画像２４と、ブックマークのサムネイル画像２７〜２９とが視覚的に区別できるようになっている。
【００３８】
２段目の真ん中に配置されたサムネイル画像３０は、静止画ファイルのサムネイル画像である。このサムネイル画像３０には、静止画であることを示す記号４３が表示されている。２段目の右端に配置されたサムネイル画像３１は、動画像ファイルのサムネイル画像である。このサムネイル画像３０には、ブックマークのサムネイル画像が繋がれておらず、ブックマークが登録されていないことが分かる。
【００３９】
３段目の左端、及び、真ん中に配置されたサムネイル画像３２，３３は、静止画ファイルのサムネイル画像である、これらのサムネイル画像３２，３３には、静止画ファイルであることを示す記号４５，４６が表示されている。３段目の端に配置されたサムネイル画像３４は、動画像ファイルのサムネイル画像である。このサムネイル画像には、動画像ファイルであることを示す記号４７が表示されている。
【００４０】
次いで、図７、８を参照してブックマークの登録手順を説明する。図７は、記録時の登録手順を示すフローチャートである。動画像の撮像が開始すると、インデックス生成部６は、まず、ファイルの先頭画像をサムネイル画像２０としてメモリ４に記憶する（ステップＳ１）。マーキングボタン１０が押下されずに（ステップＳ２；ＮＯ）、撮像が終了した場合には（ステップＳ３；ＹＥＳ）、インデックス生成部６は、撮像したファイルのファイル情報２３を生成しインデックスファイル８に登録し（ステップＳ４）、メモリ４に記憶しているファイルのサムネイル画像２０をインデックスファイル８に登録する（ステップＳ５）。
【００４１】
一方、撮像中にマーキングボタン１０が押下されると（ステップＳ２；ＹＥＳ）、インデックス生成部６は、マーキングボタン１０が押下された時間を基にブックマーク情報２４を生成してメモリ４に記憶させ（ステップＳ６）、さらに、マーキングボタン１０が押下されたときの画像をメモリ４に記憶させる（ステップＳ７）。インデックス生成部６は、撮像が終了しなければ（ステップＳ８；ＮＯ）、ステップＳ２に移行しマーキングボタン１０の押下を待機する。
【００４２】
一方、撮像が終了すると（ステップＳ８；ＹＥＳ）、インデックス生成部６は、撮像したファイルのファイル情報２３を生成しインデックスファイル８に登録し（ステップＳ９）、メモリ４に記憶している画像のサムネイル画像２０をインデックスファイル８に登録する（ステップＳ１０）。
【００４３】
さらに、インデックス生成部６は、メモリ４に記憶しているブックマーク情報２４をインデックスファイル８に登録し（ステップＳ１１）、メモリ４に記憶しているブックマークのサムネイル画像２０をインデックスファイル８に登録する（ステップＳ１２）。
【００４４】
なお、上述したステップＳ１において、撮影開始時に動画像ストリームの先頭画像からサムネイル画像２０を生成するとしたが、撮影が終了した後に先頭画像を読み出してサムネイル画像２０を生成し、インデックスファイル８に登録するようにしても良い。同様に、上述したステップＳ７では、撮影中にマーキングボタン１０が押下されたときの画像をメモリ４に記憶させる構成としたが、撮影が終了した後に、ブックマーク情報２４に対応する画像を読み出してサムネイル画像２０を生成し、インデックスファイル８に登録するようにしても良い。
【００４５】
次いで、図８を参照して再生時の登録手順について説明する。動画像ファイルの再生中に、マーキングボタン１０が押下されない場合（ステップＳ２１；ＮＯ）、インデックスファイル８にはなにも登録されない。
【００４６】
一方、再生中にマーキングボタン１０が押下されると（ステップＳ２１；ＹＥＳ）、インデックス生成部６は、マーキングボタン１０が押下されたときの時間を基にブックマーク情報２４を生成してメモリ４に記憶させ（ステップＳ２２）、さらに、マーキングボタン１０が押下されたときの画像をメモリ４に記憶させる（ステップＳ２３）。インデックス生成部６は、再生が終了しなければ（ステップＳ２４；ＮＯ）、ステップＳ２１に移行しマーキングボタン１０の押下を待機する。
【００４７】
一方、再生が終了すると（ステップＳ２４；ＹＥＳ）、インデックス生成部６は、メモリ４に記憶しているブックマーク情報２４をインデックスファイル８に登録し（ステップＳ２５）、メモリ４に記憶しているブックマークのサムネイル画像２０をインデックスファイル８に登録する（ステップＳ２６）。
【００４８】
なお、上述したステップＳ２３において、再生中にマーキングボタン１０が押下されたときの画像をメモリ４に記憶させる構成としたが、再生が終了した後に、ブックマーク情報２４に対応する画像を読み出してサムネイル画像を生成し、インデックスファイル８に登録するようにしてもよい。
【００４９】
図９は、ブックマーク登録処理の様子を模式的に示している。動画ファイルの記録再生中には、マーキングボタン１０が押下されるごとに、ブックマーク情報２４及びブックマークのサムネイル画像２０をメモリ４に記憶させる。メモリ４には、図９（ａ）に示すように、マーキングボタン１０が押下された個数分のブックマーク情報２４及びサムネイル画像２０が蓄積される。
【００５０】
動画ファイルの記録再生が終了すると、図９（ｂ）に示すように、記録再生中にメモリ４に記憶されたブックマーク情報２４及びサムネイル画像２０を全てインデックスファイル８に登録する。
【００５１】
以上説明したように、本発明を適用したビデオカメラ１では、記録若しくは再生している動画像データにブックマークを登録することができるようになった。また、ブックマークは、動画像ファイルのファイル情報２３とともにインデックスファイル８に記録されるため、ブックマーク情報２４へ素早くアクセスすることができる。
【００５２】
さらに、本発明を適用したビデオカメラ１では、記録再生の終了時にまとめてブックマーク情報２４をインデックスファイル８に登録するため、記録再生時のＨＤＤ７へのアクセス時間が減り、ブックマークの登録処理が高速化される。なお、動画データの再生時であれば、マーキングボタン１０が押下されるごとに、インデックスファイル８にブックマーク情報２４を登録してもよい。
【００５３】
また、上記実施の形態では、動画像ファイルのブックマークを登録する例を説明したが、動画像ファイルでなくとも、音声ファイルなどのストリームデータに適用することができる。
【００５４】
さらに、上記実施の形態では、ビデオカメラ１を例として説明したが、ビデオカメラ１以外のビデオデッキ、音楽プレーヤ、音楽レコーダ、パーソナルコンピュータ等にも適用することができる。
【図面の簡単な説明】
【００５５】
【図１】本発明を適用したビデオカメラの構成を示すブロック図である。
【図２】ＨＤＤの構成を示す模式図である。
【図３】インデックスファイルの構成を示す模式図である。
【図４】フォルダ情報、ファイル情報、ブックマーク情報とのリンク付けを視覚化した概念図である。
【図５】ファイル情報とブックマーク情報のリンク付けを視覚化した模式図である。
【図６】再生開始位置を指定するメニュー画面の一例を示す概念図である。
【図７】撮像時のブックマーク登録手順を説明するフローチャートである。
【図８】再生時のブックマーク登録手順を説明するフローチャートである。
【図９】ブックマーク登録処理の様子を示す模式図である。
【符号の説明】
【００５６】
１  ビデオカメラ、２  レンズ部、３  撮像部、４  メモリ、５  ファイル生成部、６  インデックス生成部、７  ＨＤＤ、８  インデックスファイル、９  ＬＣＤ、１０  マーキングボタン、１１  再生ボタン、１２，１３  頭出しボタン、１４  メニューボタン、１５  再生管理部、１７  プロパティファイル、１８  サムネイルファイル、２０  サムネイル画像、２２  フォルダ情報、２３  ファイル情報、２４  ブックマーク情報
【図１】
2007124538.tif 000003
【図２】
2007124538.tif 000004
【図３】
2007124538.tif 000005
【図４】
2007124538.tif 000006
【図５】
2007124538.tif 000007
【図６】
2007124538.tif 000008
【図７】
2007124538.tif 000009
【図８】
2007124538.tif 000010
【図９】
2007124538.tif 000011